(57)【要約】【課題】引き出されたロールペーパーを任意箇所で容易に切断可能とし、かつ、次の使用に備えてロールペーパーの切端が掴み易いように準備されている、極めて単純な構造のロールペーパーホルダーの提供を図る。【解決手段】開閉ホルダーと、ホルダープレートと、からなるロールペーパーホルダーであって、開閉ホルダーは、軸心を横にしてロールペーパーが収納可能な収納部を有し、かつ、取付壁側下面にはロールペーパーの引き出し口を設けるとともに、該引き出し口上方にはロールペーパーを折り返すローラーを設け、また、前方下面にはロールペーパーをカットするためのカッターを設けた構造となっており、ホルダープレートは、前記開閉ホルダーの開口部と合致するフェンダー部を備えるとともに、該フェンダー部の下方には引き出されたロールペーパーを担持するための担持板を設け、かつ、壁への取付機構を備えた構造となっており、前記開閉ホルダーがホルダープレートに対して開閉自在に取り付けられている構造となっている。【選択図】図１
2007260311.tif 000002
【特許請求の範囲】
【請求項１】
開閉ホルダーと、ホルダープレートと、からなるロールペーパーホルダーであって、
開閉ホルダーは、軸心を横にしてロールペーパーが収納可能な収納部を有し、かつ、取付壁側下面にはロールペーパーの引き出し口を設けるとともに、該引き出し口上方にはロールペーパーを折り返すローラーを設け、また、前方下面にはロールペーパーをカットするためのカッターを設けた構造となっており、
ホルダープレートは、前記開閉ホルダーの開口部と合致するフェンダー部を備えるとともに、該フェンダー部の下方には引き出されたロールペーパーを担持するための担持板を設け、かつ、壁への取付機構を備えた構造となっており、
前記開閉ホルダーがホルダープレートに対して開閉自在に取り付けられていることを特徴とするロールペーパーホルダー。
【請求項２】
前記開閉ホルダーの下面に、カットしたロールペーパーがカッターに付着した状態となるのを防止するための剥離板を設けたことを特徴とする請求項１に記載のロールペーパーホルダー。
【請求項３】
前記開閉ホルダーの収納部内における左右いずれか一面あるいは両面に、ロールペーパーを掴持するための掴持機構を備えたことを特徴とする請求項１または請求項２に記載のロールペーパーホルダー。
【発明の詳細な説明】
【技術分野】
【０００１】
本発明は、ロールペーパーホルダーに関し、詳しくは、引き出されたロールペーパーを任意箇所で容易に切断可能であるとともに、次の使用に備えてロールペーパーの切端が摘み易いように準備されているロールペーパーホルダーに関するものである。
【背景技術】
【０００２】
従来より、ロールペーパーホルダー特にトイレットペーパーホルダーの発明・考案が多数提案されており、中でも引き出されるロールペーパーを所定箇所でカットする方法として、電動モーターや駆動ローラーを用いた電気的手段と、回動ローラーや歯車伝達機構を利用した手動機械的手段を用いた提案が数多く提案されている。
【０００３】
例えば、従来の電気的手段としては、特開２００４−２６１５０５号公報に、電動モーターによるローラーの回転と支持棒の後退動作によってトイレットペーパーの紙送りがなされる「トイレットペーパーホルダー」が提案されている（特許文献１）。また、従来の手動機械的手段としては、登録実用新案第３０６３３４５号公報において、ローラーとその付勢手段によってトイレットペーパーの紙送りがなされる「トイレットペーパーホルダー」が提案され（特許文献２）、さらには、特開平１０−３３４０８号公報には、取り出す力を利用してゼンマイを巻いて歯車との伝達機構によってトイレットペーパーの紙送りがなされる「トイレットペーパーホルダーの紙送り出し装置」が提案されている（特許文献３）。
【０００４】
しかしながら、特許文献１に記載されている提案によると、構造的に複雑で電気的装置も必要とすることから、商品コストやランニングコスト、メンテナス作業が必要とされる欠点を有するとともに、一度故障してしまうと以後使用不可能となってしまう場合が考え得る。また、特許文献２に記載されている提案では、同様に構造的に複雑であって、使用前後に歯車による紙送り作業を行う煩わしさを伴うものである。そしてまた、特許文献３に記載されている提案においては、やはり構造的に複雑であることから、商品コストやメンテナス作業が必要とされる欠点を有していた。
【０００５】
【特許文献１】特開２００４−２６１５０５号公報
【特許文献２】登録実用新案第３０６３３４５号公報
【特許文献３】特開平１０−３３４０８号公報
【発明の開示】
【発明が解決しようとする課題】
【０００６】
本発明は、かかる問題点に鑑み、引き出されたロールペーパーを任意箇所で容易に切断可能とし、かつ、次の使用に備えてロールペーパーの切端が摘み易いように準備されている、極めて単純な構造のロールペーパーホルダーを提供することを目的とするものである。
【課題を解決するための手段】
【０００７】
開閉ホルダーと、ホルダープレートと、からなるロールペーパーホルダーであって、開閉ホルダーは、軸心を横にしてロールペーパーが収納可能な収納部を有し、かつ、取付壁側下面にはロールペーパーの引き出し口を設けるとともに、該引き出し口上方にはロールペーパーを折り返すローラーを設け、また、前方下面にはロールペーパーをカットするためのカッターを設けた構造となっており、ホルダープレートは、前記開閉ホルダーの開口部と合致するフェンダー部を備えるとともに、該フェンダー部の下方には引き出されたロールペーパーを担持するための担持板を設け、かつ、壁への取付機構を備えた構造となっており、前記開閉ホルダーがホルダープレートに対して開閉自在に取り付けられている構造となっている。
【０００８】
また、本発明は、前記開閉ホルダーの下面に、カットしたロールペーパーがカッターに付着した状態となるのを防止するための剥離板を設けた構造を採ることもできる。
【０００９】
さらに、本発明は、前記開閉ホルダーの収納部内における左右いずれか一面あるいは両面に、ロールペーパーを掴持するための掴持機構を備えたことを特徴とする請求項１または請求項２に記載のロールペーパーホルダー。
【発明の効果】
【００１０】
本発明にかかるロールペーパーホルダーによれば、極めて単純な構造であるため、商品コストが安く済むとともに、故障の心配もほとんどなく、メンテナンス等の煩わしい作業も必要としない。
【００１１】
また、本発明にかかるロールペーパーホルダーによれば、ロールペーパーの交換時において、開閉ホルダーがホルダープレートに対して開閉自在に取り付けられているため、該開閉ホルダーをホルダープレートから開放することによって、収納部へロールペーパーを装着するだけで容易にセットすることができるものである。
【００１２】
さらに、本発明にかかるロールペーパーホルダーによれば、ローラーや掴持機構による適度の抵抗により、片手でロールペーパーを引き出して容易にカットできるとともに、次の使用に備えてロールペーパーの切端が摘み易いように準備される構造となっているため、衛生的で利便性の向上に資するものである。
【発明を実施するための最良の形態】
【００１３】
以下、本発明にかかるロールペーパーホルダー１の実施形態を、図面に基づいて説明する。
【００１４】
図１及び図２は、本発明にかかるロールペーパーホルダー１の全体構成を示しており、図１はロールペーパーＲがセットされた状態の透視斜視図、図２は開閉ホルダー２を展開した状態の展開斜視図である。すなわち、該ロールペーパーホルダー１は、開閉ホルダー２と、ホルダープレート３とで構成されている。
【００１５】
開閉ホルダー２は、軸心を横にしてロールペーパーＲが収納可能な収納部４を有している。該収納部４は、ロールペーパーＲが収納可能な大きさを有していれば、その大きさ・形状等について特に限定はない。例えば、図１に示すように、ロールペーパーＲの形状に合わせて収納部４内を円弧状に形成することも考えられ、また、図２に示すように、収納部４内底部をＶ字状に形成することも可能である。なお、収納部４内底部をＶ字状に形成した場合には、該収納部４にロールペーパーＲを安定的に収納することができるとともに、ロールペーパーＲを引き出す際に該ロールペーパーＲの回転によるガタつき及び音の発生を抑制することが可能となる。
【００１６】
また、該開閉ホルダー２の収納部４内における左右いずれか一面あるいは両面に、ロールペーパーＲを掴持するための掴持機構１３を備えることも有効である。かかる掴持機構１３を備えることにより、収納部４内にセットされたロールペーパーＲが左右にガタつくのを防止して安定的にセットすることができるとともに、ロールペーパーＲを引き出して任意の長さで切断する際に、ある一定の抵抗が発生して、切断が容易になるという効果を有する。該掴持機構１３は、図４に示すように、収納部４内側へ迫り出すような弾力性を備えるものが望ましい。
【００１７】
さらに、開閉ホルダー２には、取付壁側下面にロールペーパーＲの引き出し口７が設けられ、さらに、該引き出し口７上方にはロールペーパーＲを折り返すローラー６が設けられている。該ローラー６は、ロールペーパーＲをスムーズに引き出すことができれば、その回動について可能であろうと不可であろうとを問わない。なお、該ローラー６の位置については、ロールペーパーＲが収納部４内底部の端部に引っ掛かってしまうことのないよう、該端部よりも高い位置に設けることが望ましい。
【００１８】
そしてまた、開閉ホルダー２には、前方下面に引き出されたロールペーパーＲをカットするためのカッター８が設けられている。かかるカッター８については、一般的なものを使用すれば足り、特に限定はない。なお、カッター８が剥き出しになった状態であると、ロールペーパーＲを引き出す手を傷つけるなど、危険な場合も想定できるため、該カッター８の前方をカバーで被覆することが好ましい。
【００１９】
以上の通り構成される開閉ホルダー２について、その下面に剥離板１２を設ける構造も考え得る。かかる剥離板１２は、その取付壁側が開閉ホルダー２の下面に固定されるとともに、前方側が開閉ホルダー２の下面から浮いた状態に設けられ、弾力性を備えて前方側が上下に動く構造となっている。すなわち、通常剥離板１２の前方側は下方へ下がった状態にあり、ロールペーパーＲをカットする際には、上方へ引き上げられたロールペーパーＲに従って剥離板１２も上方へ持ち上げられ、ロールペーパーＲのカットが終了した段階で、その弾力性により通常の状態へと戻ることとなる。かかる剥離板１２を設けることにより、切断した後のロールペーパーＲがカッター８に付着した状態となるのを防止することが可能となる。
【００２０】
ホルダープレート３は、前記開閉ホルダー２の開口部と合致するフェンダー部９が備えられている。該フェンダー部９の具体的構造は、上面及び両側面の三面構造となっており、下面は開閉ホルダー２の引き出し口７となるため、閉塞しないようになっている。
【００２１】
また、ホルダープレート３について、前記フェンダー部９の下方に、引き出されたロールペーパーＲを担持するための担持板１１が設けられている。かかる担持板１１は、ホルダープレート３から下方へ若干の傾斜をつけつつ設けられている。なお、該担持板１１の取付壁側から前方までの全長は、開閉ホルダー２におけるローラー６からカッター８までの長さよりも短くすることが望ましい。短くすることで、ロールペーパーＲの先端部Ｒ１が担持板１１から若干はみ出た状態となり、次に使用する際にその先端部Ｒ１を摘み易くすることが可能となる。
【００２２】
そしてまた、ホルダープレート３には、取付対象となる壁への取付機構Ｔが備えられている。かかる取付機構Ｔについて特に限定するものではなく、例えば、図面に示すような孔に釘やネジを通して壁に固定する機構や、その他両面テープ等による機構等、種々のものが考えられる。
【００２３】
上記開閉ホルダー２とホルダープレート３の各構成からなるロールペーパーホルダー１について、開閉ホルダー２はホルダープレート３に対して開閉自在に取り付けられている。開閉自在とするための開閉機構については特に限定はなく、ヒンジＨを利用するなど一般的なもので足りる。また、場合によっては、開閉ホルダー２がホルダープレート３から簡単に開いてしまうのを防止するため、図２に示すようなマグネット等のロック機構１４を設けることも望ましい。なお、開閉ホルダー２とホルダープレート３との突き合せ構造について、図２に示すように、ヒンジＨ等の開閉機構が設けられる開閉軸を略垂直とすることもできるし、あるいは、図１に示すように、該開閉軸を奥行方向に向かって下方に傾斜する構造とすることも可能である。かかる開閉軸に傾斜を設けた場合、ロック機構１４を開錠した際に開閉ホルダー２が自重によって自然開放することとなり、さらには、ロールペーパーＲの収納作業を容易に行うことが可能となる。
【００２４】
本発明にかかるロールペーパーホルダー１の材料については、特に限定するものではなく、一般的なホルダーの材料であるステンレスやプラスチック等、あるいは、木製や金属製等、さらには、これらの組み合わせ等が考え得る。
【００２５】
図３及び図４は、本発明にかかるロールペーパーホルダー１にロールペーパーＲがセットされた状態を示す断面図であり、図３は側断面図、図４は正断面図である。すなわち、本発明にかかるロールペーパーホルダー１を実際に使用する場合には、所定の壁に取り付けられたホルダープレート３から開閉ホルダー２を開け、収納部４にロールペーパーＲをセットし、再び開閉ホルダー２を閉じることで準備完了となる。具体的なロールペーパーＲのセット方法は、その先端部Ｒ１からある程度の位置までロールペーパーＲを巻かれた状態から開放し、該ロールペーパーＲを軸心を横にして収納部４にセットして、さらに先端部Ｒ１からある程度の位置まで開放されたロールペーパーＲをローラー６で折り返して担持板１１上に載置することにより行われる。このとき、セットされるロールペーパーＲの紙巻方向についてはどちらでも構わない。また、使用されるロールペーパーＲについて、芯あり芯なしのいずれであっても対応可能である。
【００２６】
図５は、本発明にかかるロールペーパーホルダー１の使用状態を示す説明図である。図５（ａ）に示すように、開閉ホルダー２における収納部４にセットされたロールペーパーＲは、ある程度の位置までローラー６を経て引き出し口７を介して引き出され、やや下方に傾斜がつけられた担持板１１上にセットされる。この状態で使用者は、担持板１１上のロールペーパーＲの先端部Ｒ１を片手で摘んで、任意の長さに引き出すこととなる。
【００２７】
次いで、図５（ｂ）に示すように、使用者は、任意の長さに達したロールペーパーＲを上方へ引き上げることにより、開閉ホルダー２の前方下面に設けられているカッター８によってロールペーパーＲは切断される。このとき、ロールペーパーＲはローラー６で折り返されていることで適度の抵抗が発生して、ロールペーパーＲの切断は容易である。なお、開閉ホルダー２の収納部４内に掴持機構１３を備えた構造を採用すれば、さらに抵抗が増し、ロールペーパーＲの切断が容易となる。
【００２８】
切断された後のロールペーパーＲは、図５（ｃ）に示すように、自重と開閉ホルダー２の下面に設けられている剥離板１２の弾性力によってカッター８から引き離される。そして、引き離されたロールペーパーＲは、その先端部Ｒ１が若干はみ出た状態で担持板１１上に再びセットされ、次の使用のために準備された状態となる。
【産業上の利用可能性】
【００２９】
本発明は、特にトイレで使用されるトイレットペーパーの実施形態として提案しているが、安価でコンパクトな仕様であり、しかも片手で操作ができて、衛生的であるため、キッチン用、オフィス用、工場用、医療用などの手拭き用ロールペーパーホルダーとして産業上幅広く利用される可能性がある。
【図面の簡単な説明】
【００３０】
【図１】本発明にかかるロールペーパーホルダーの全体構成を示す透視斜視図である。
【図２】本発明にかかるロールペーパーホルダー旋回した状態を示す展開斜視図である。
【図３】本発明にかかるロールペーパーホルダーのセット状態を示す側断面図である。
【図４】本発明にかかるロールペーパーホルダーのセット状態を示す正断面図である。
【図５】本発明にかかるロールペーパーホルダーの使用状態を示す説明図である。
【符号の説明】
【００３１】
１    ロールペーパーホルダー
２    開閉ホルダー
３    ホルダープレート
４    収納部
６    ローラー
７    引き出し口
８    カッター
９    フェンダー部
１１    担持板
１２    剥離板
１３    掴持機構
１４    ロック機構
Ｈ    ヒンジ
Ｒ    ロールペーパー
Ｒ１  先端部
Ｔ    取付機構
【図１】
2007260311.tif 000003
【図２】
2007260311.tif 000004
【図３】
2007260311.tif 000005
【図４】
2007260311.tif 000006
【図５】
2007260311.tif 000007